【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
Ａ）熱可塑性ポリマー、及び
Ｂ１）式Ｂ−Ｃ−Ｂで表わされるトリブロック−コポリマー、又は
Ｂ２）ポリマーブロックＢがポリマーＣにグラフトされて、理想的な一般式Ｃ−Ｂ（ｎ）（式中、ｎは２より大きい）で表わされる櫛形コポリマーを形成するグラフトコポリマー、
を含む組成物であって、
前記ポリマーブロックＢは前記熱可塑性ポリマーＡ）に対して相溶性であり、そして
前記ポリマーブロックＣは前記熱可塑性ポリマーＡ）のガラス転移温度より少なくとも２０°Ｋ低いガラス転移温度を有し、そして
前記トリブロック−コポリマーＢ１）又はグラフトされた前記櫛形コポリマーＢ２）の平均分子量Ｍw は５００００未満である組成物。
【請求項２】
制御されたフリーラジカル重合によるトリブロック−コポリマー又はグラフトコポリマーの製造方法であって、
ａ）ポリシロキサンを、次式（Ｉ）：
【化１】
2006500449.tif 000001
で表わされる官能性アルコキシアミンの存在下、ヒドロシリレーション（ｈｙｄｏｓｙｌｉｌａｔｉｏｎ）条件下で反応させる段階、及び
ｂ）得られたポリシロキサンで末端閉鎖されたアルコキシアミンを、６０℃と１６０℃の間の温度でエチレン性不飽和モノマーと反応させる段階、
を含み、
前記式中、
Ｘは、少なくとも１個の炭素原子を有し、そして次式：
【化２】
2006500449.tif 000002
で表わされる遊離基がエチレン性不飽和モノマーの重合を開始し得るような基であり、
ｎは０ないし１８の数を表わし、
Ｒ及びＲ’は独立して、非置換或いは一つ若しくはそれより多くの電子吸引性基により又はフェニル基により置換された第三級結合された炭素原子数４ないし２８のアルキル基を表わし、或いは
Ｒ及びＲ’は一緒になって、少なくとも４個の炭素原子数１ないし４のアルキル基により置換された５又は６員ヘテロ環式環を形成し、そして別の窒素原子又は酸素原子により中断され得る、
製造方法。
【請求項３】
前記官能性アルコキシアミンが次式（ＩＩ）：
【化３】
2006500449.tif 000003
［式中、
Ｙは直接結合、酸素原子、−ＮＨ−基、−Ｃ（Ｏ）Ｏ−基又は硫黄原子を表わし、
ｎは０ないし１８の数を表わし、
Ｒ1 、Ｒ2 、Ｒ3 及びＲ4 は互いに独立して炭素原子数１ないし４のアルキル基を表わし、
Ｒ5 は水素原子又は炭素原子数１ないし４のアルキル基を表わし、
Ｒ6 ’は水素原子を表わし、そしてＲ6 は水素原子、−ＯＲ10基、−ＮＲ10Ｒ11基、−Ｏ−Ｃ（Ｏ）−Ｒ10基又は−ＮＲ11−Ｃ（Ｏ）−Ｒ10基を表わし、
Ｒ10及びＲ11は互いに独立して水素原子、炭素原子数１ないし１８のアルキル基、炭素原子数２ないし１８のアルケニル基、炭素原子数２ないし１８のアルキニル基又は、少なくとも一つのヒドロキシ基により置換された炭素原子数２ないし１８のアルキル基を表わし、或いは、Ｒ6 が−ＮＲ10Ｒ11基を表わすとき、一緒になって、炭素原子数２ないし１２のアルキレン橋又は、少なくとも１個の酸素原子により中断された炭素原子数２ないし１２のアルキレン橋を形成し、或いは
Ｒ6 及びＲ6 ’は共に水素原子を表わし、又は一緒になって基＝Ｏ若しくは基＝Ｎ−Ｏ
−Ｒ20｛式中、
Ｒ20は水素原子、直鎖状又は分岐鎖状の炭素原子数１ないし１８のアルキル基、炭素原子数３ないし１８のアルケニル基又は炭素原子数３ないし１８のアルキニル基（これらは非置換であっても又は、−ＯＨ基、炭素原子数１ないし８のアルコキシ基、カルボキシ基、炭素原子数１ないし８のアルコキシカルボニル基で置換されていてもよい）；炭素原子数５ないし１２のシクロアルキル基又は炭素原子数５ないし１２のシクロアルケニル基；フェニル基、炭素原子数７ないし９のフェニルアルキル基又はナフチル基（これらは非置換であっても又は、炭素原子数１ないし８のアルキル基、ハロゲン原子、−ＯＨ基、炭素原子数１ないし８のアルコキシ基、カルボキシ基、炭素原子数１ないし８のアルコキシカルボニル基で置換されていてもよい）；−Ｃ（Ｏ）−炭素原子数１ないし３６のアルキル基、或いは、３個ないし５個の炭素原子を有するα，β−不飽和カルボン酸又は７個ないし１５個の炭素原子を有する芳香族カルボン酸のアシル部分；−ＳＯ3 - Ｑ+ 基、−ＰＯ（Ｏ- Ｑ+ ）2 基、−Ｐ（Ｏ）（ＯＲ2 ）2 基、−ＳＯ2 −Ｒ2 基、−ＣＯ−ＮＨ−Ｒ2 基、−ＣＯＮＨ2 基、−ＣＯＯＲ2 基又は−Ｓｉ（Ｍｅ）3 基を表わし、前記式中、Ｑ+ はＨ+ 、アンモニウム又はアルカリ金属カチオンを表わす。｝を表わし、或いは、
Ｒ6 及びＲ6 ’は独立して−Ｏ−炭素原子数１ないし１２のアルキル基、−Ｏ−炭素原子数３ないし１２のアルケニル基、−Ｏ−炭素原子数３ないし１２のアルキニル基、−Ｏ−炭素原子数５ないし８のシクロアルキル基、−Ｏ−フェニル基、−Ｏ−ナフチル基、−Ｏ−炭素原子数７ないし９のフェニルアルキル基を表わし、或いは、
Ｒ6 及びＲ6 ’は一緒になって二価基−Ｏ−Ｃ（Ｒ21）（Ｒ22）−ＣＨ（Ｒ23）−Ｏ−、−Ｏ−ＣＨ（Ｒ21）−ＣＨ22−Ｃ（Ｒ22）（Ｒ23）−Ｏ−、−Ｏ−ＣＨ（Ｒ22）−ＣＨ2 −Ｃ（Ｒ21）（Ｒ23）−Ｏ−、−Ｏ−ＣＨ2 −Ｃ（Ｒ21）（Ｒ22）−ＣＨ（Ｒ23）−Ｏ−、−Ｏ−ｏ−フェニレン−Ｏ−、−Ｏ−１，２−シクロヘキシリデン−Ｏ−、−Ｏ−ＣＨ2 −ＣＨ＝ＣＨ−ＣＨ2 −Ｏ−又は
【化４】
2006500449.tif 000004
の一つを形成し、前記式中、
Ｒ21は水素原子、炭素原子数１ないし１２のアルキル基、−ＣＯＯＨ基、−ＣＯＯ−炭素原子数１ないし１２のアルキル基又は−ＣＨ2 ＯＲ24基を表わし、
Ｒ22及びＲ23は互いに独立して水素原子、メチル基、エチル基、−ＣＯＯＨ基又は−ＣＯＯ−炭素原子数１ないし１２のアルキル基を表わし、そして
Ｒ24は水素原子、炭素原子数１ないし１２のアルキル基、ベンジル基又は、１８個までの炭素原子を有する脂肪族、脂環式若しくは芳香族一価カルボン酸から誘導される一価アシル残基を表わす。］で表わされる、請求項２記載の方法。
【請求項４】
請求項２記載の制御されたフリーラジカル重合により得られたトリブロック−コポリマー又はグラフトコポリマー。
【請求項５】
前記トリブロック−コポリマー又は前記グラフトコポリマーが請求項２記載の制御されたフリーラジカル重合により製造されている、請求項１記載の組成物。
【請求項６】
加工中の熱可塑性ポリマーのメルトフローを向上させるための添加剤としての、請求項１で製造されたトリブロック−コポリマー又はグラフトコポリマーの使用。
【請求項７】
次式ＩＩａ：
【化５】
2006500449.tif 000005
［式中、
Ｒ1 、Ｒ2 、Ｒ3 及びＲ4 は互いに独立して炭素原子数１ないし４のアルキル基を表わし、
Ｒ5 は水素原子又は炭素原子数１ないし４のアルキル基を表わし、
Ｒ6 ’は水素原子を表わし、そしてＲ6 は水素原子、−ＯＲ10基、−ＮＲ10Ｒ11基、−Ｏ−Ｃ（Ｏ）−Ｒ10基又は−ＮＲ11−Ｃ（Ｏ）−Ｒ10基を表わし、
Ｒ10及びＲ11は互いに独立して水素原子、炭素原子数１ないし１８のアルキル基、炭素原子数２ないし１８のアルケニル基、炭素原子数２ないし１８のアルキニル基又は、少なくとも一つのヒドロキシ基により置換された炭素原子数２ないし１８のアルキル基を表わし、或いは、Ｒ6 が−ＮＲ10Ｒ11基を表わすとき、一緒になって、炭素原子数２ないし１２のアルキレン橋又は、少なくとも１個の酸素原子により中断された炭素原子数２ないし１２のアルキレン橋を形成し、或いは
Ｒ6 及びＲ6 ’は共に水素原子を表わし、又は一緒になって基＝Ｏ若しくは基＝Ｎ−Ｏ−Ｒ20｛式中、
Ｒ20は水素原子、直鎖状又は分岐鎖状の炭素原子数１ないし１８のアルキル基、炭素原子数３ないし１８のアルケニル基又は炭素原子数３ないし１８のアルキニル基（これらは非置換であっても又は、−ＯＨ基、炭素原子数１ないし８のアルコキシ基、カルボキシ基、炭素原子数１ないし８のアルコキシカルボニル基で置換されていてもよい）；炭素原子数５ないし１２のシクロアルキル基又は炭素原子数５ないし１２のシクロアルケニル基；フェニル基、炭素原子数７ないし９のフェニルアルキル基又はナフチル基（これらは非置換であっても又は、炭素原子数１ないし８のアルキル基、ハロゲン原子、−ＯＨ基、炭素原子数１ないし８のアルコキシ基、カルボキシ基、炭素原子数１ないし８のアルコキシカルボニル基で置換されていてもよい）；−Ｃ（Ｏ）−炭素原子数１ないし３６のアルキル基、或いは、３個ないし５個の炭素原子を有するα，β−不飽和カルボン酸又は７個ないし１５個の炭素原子を有する芳香族カルボン酸のアシル部分；−ＳＯ3 - Ｑ+ 基、−ＰＯ（Ｏ- Ｑ+ ）2 基、−Ｐ（Ｏ）（ＯＲ2 ）2 基、−ＳＯ2 −Ｒ2 基、−ＣＯ−ＮＨ−Ｒ2 基、−ＣＯＮＨ2 基、−ＣＯＯＲ2 基又は−Ｓｉ（Ｍｅ）3 基を表わし、前記式中、Ｑ+ はＨ+ 、アンモニウム又はアルカリ金属カチオンを表わす。｝を表わし、或いは、
Ｒ6 及びＲ6 ’は独立して−Ｏ−炭素原子数１ないし１２のアルキル基、−Ｏ−炭素原子数３ないし１２のアルケニル基、−Ｏ−炭素原子数３ないし１２のアルキニル基、−Ｏ−炭素原子数５ないし８のシクロアルキル基、−Ｏ−フェニル基、−Ｏ−ナフチル基、−Ｏ−炭素原子数７ないし９のフェニルアルキル基を表わし、或いは、
Ｒ6 及びＲ6 ’は一緒になって二価基−Ｏ−Ｃ（Ｒ21）（Ｒ22）−ＣＨ（Ｒ23）−Ｏ−、−Ｏ−ＣＨ（Ｒ21）−ＣＨ22−Ｃ（Ｒ22）（Ｒ23）−Ｏ−、−Ｏ−ＣＨ（Ｒ22）−ＣＨ2 −Ｃ（Ｒ21）（Ｒ23）−Ｏ−、−Ｏ−ＣＨ2 −Ｃ（Ｒ21）（Ｒ22）−ＣＨ（Ｒ23）−Ｏ−、−Ｏ−ｏ−フェニレン−Ｏ−、−Ｏ−１，２−シクロヘキシリデン−Ｏ−、−Ｏ−ＣＨ2 −ＣＨ＝ＣＨ−ＣＨ2 −Ｏ−又は
【化６】
2006500449.tif 000006
の一つを形成し、前記式中、
Ｒ21は水素原子、炭素原子数１ないし１２のアルキル基、−ＣＯＯＨ基、−ＣＯＯ−炭素原子数１ないし１２のアルキル基又は−ＣＨ2 ＯＲ24基を表わし、
Ｒ22及びＲ23は互いに独立して水素原子、メチル基、エチル基、−ＣＯＯＨ基又は−ＣＯＯ−炭素原子数１ないし１２のアルキル基を表わし、そして
Ｒ24は水素原子、炭素原子数１ないし１２のアルキル基、ベンジル基又は、１８個までの炭素原子を有する脂肪族、脂環式若しくは芳香族一価カルボン酸から誘導される一価アシル残基を表わす。］で表わされる化合物。